(57)【要約】      （修正有）【課題】シングルキャリア制御チャネル用のハイブリッドＦＤＭ（周波数分割多重）−ＣＤＭ（符号分割多重）構造のシステム及び方法を提供する。【解決手段】信号送信方法５００は、送信すべき信号を受信し５０２、各ユーザが使用可能な帯域幅全体を占有できるように、受信信号をハイブリッドＦＤＭ−ＣＤＭ構造を使用して変調する５０４。次にＦＤＭ−ＣＤＭ変調信号に拡散符号を使用し、時間領域におけるＣＤＭを行い５０６、信号を送信する５０８。【選択図】図５
2018191309.tif 000002
【特許請求の範囲】
【請求項１】
ユーザの観点からの周波数ダイバーシティを最大化するための無線通信システムにおいて動作可能な装置であって、
異なるグループ内のユーザからの信号に対して周波数分割多重（ＦＤＭ）を行うための手段と、
同じグループ内のユーザからの信号に対して周波数領域における符号分割多重（ＣＤＭ）を行うための手段と、
前記同じグループ内のユーザからの信号に対して時間領域における符号分割多重（ＣＤＭ）を行うための手段と
を備える装置。
【請求項２】
所与のグループ内のユーザが、所与のシンボル内のトーンの連続セットおよび異なるシンボル内の連続トーンの異なるセットにわたって送信できるように前記多重化された信号を送信するための手段をさらに備える請求項１に記載の装置。
【請求項３】
前記周波数領域におけるＣＤＭを実現するために拡散系列の巡回シフトを使用するための手段をさらに備える請求項１に記載の装置。
【請求項４】
前記拡散系列がＺａｄｏｆｆ−Ｃｈｕ系列である、請求項３に記載の装置。
【請求項５】
前記時間領域におけるＣＤＭを実現するために直交拡散符号を使用するための手段をさらに備える請求項１に記載の装置。
【請求項６】
前記拡散符号がアダマール系列である、請求項５に記載の装置。
【請求項７】
ユーザの観点からの周波数ダイバーシティを最大化するための無線通信システムにおいて動作可能な装置であって、
ハイブリッドＦＤＭ−ＣＤＭ方式を使用することによって多重化された所与のセル内の前記ユーザからの制御信号を送信するハイブリッドＦＤＭ−ＣＤＭ（周波数分割多重−符号分割多重）生成構成要素
を備える装置。
【請求項８】
送信すべき前記制御信号に対してＦＤ−ＣＤＭ（周波数領域−符号分割多重）を行うハイブリッドＦＤＭ−ＣＤＭ変調器をさらに備える請求項７に記載の装置。
【請求項９】
前記ハイブリッドＦＤＭ−ＣＤＭ変調器が、ＦＤ−ＣＤＭを実現するために拡散系列の巡回シフトを使用する、請求項８に記載の装置。
【請求項１０】
拡散系列がＺａｄｏｆｆ−Ｃｈｕ系列である、請求項９に記載の装置。
【請求項１１】
送信すべき前記信号に対してＴＤ−ＣＤＭ（時間領域−符号分割多重）を行う基準信号（ＲＳ）マルチプレクサをさらに備える請求項７に記載の装置。
【請求項１２】
前記ＲＳマルチプレクサが、ＴＤ−ＣＤＭを実現するために時間領域における直交拡散符号を使用する、請求項１１に記載の装置。
【請求項１３】
拡散符号がアダマール符号である、請求項１２に記載の装置。
【請求項１４】
前記制御信号を送信する送信機をさらに備える請求項７に記載の装置。
【請求項１５】
前記ハイブリッドＦＤＭ−ＣＤＭ変調器が、周波数ダイバーシティを増大させるために周波数ホッピング方式を使用する、請求項７に記載の装置。
【請求項１６】
前記制御信号がシングルキャリア波形を有する、請求項７に記載の装置。
【請求項１７】
前記使用可能な帯域幅においてシングルキャリア制御信号を送信するための所与のユーザについての周波数ダイバーシティを最大化する方法であって、
異なるグループ内のユーザからの信号を周波数分割多重（ＦＤＭ）することと、
同じグループ内のユーザからの信号を周波数領域において符号分割多重（ＣＤＭ）することと、
前記同じグループ内のユーザからの信号を時間領域において符号分割多重（ＣＤＭ）することと
を備える方法。
【請求項１８】
所与のグループ内のユーザが、所与のシンボル内のトーンの連続セットおよび異なるシンボル内の連続トーンの異なるセットにわたって送信できるように前記多重化された信号を送信することをさらに備える請求項１７に記載の方法。
【請求項１９】
前記周波数領域におけるＣＤＭを実現するために拡散系列の巡回シフトを使用することをさらに備える請求項１７に記載の方法。
【請求項２０】
前記拡散系列がＺａｄｏｆｆ−Ｃｈｕ系列である、請求項１９に記載の方法。
【請求項２１】
前記時間領域におけるＣＤＭを実現するために直交拡散符号を使用することをさらに備える請求項１７に記載の方法。
【請求項２２】
前記拡散符号がアダマール系列である、請求項２１に記載の方法。
【請求項２３】
周波数ダイバーシティを増大させるために周波数ホッピング方式を使用することをさらに備える請求項１７に記載の方法。
【請求項２４】
ユーザの観点からの周波数ダイバーシティを最大化するための無線通信システムにおいて動作可能な装置であって、
前記所与のセル内の前記ユーザからの受信信号を識別するハイブリッドＦＤＭ−ＣＤＭ受信構成要素であって、前記受信信号がハイブリッドＦＤＭ−ＣＤＭ方式を使用する、構成要素
を備える装置。
【請求項２５】
前記受信信号を復調する構成要素をさらに備える請求項２４に記載の装置。
【請求項２６】
高速フーリエ変換（ＦＦＴ）を使用することによってユーザの少なくとも１セットを分離する構成要素をさらに備える請求項２４に記載の装置。
【請求項２７】
前記受信信号を検出するために反転ホッピング系列を使用する構成要素をさらに備える請求項２４に記載の装置。
【請求項２８】
特定のグループ内の特定のユーザによって送信された信号を分離するために時間領域および周波数領域において逆拡散操作を行う構成要素をさらに備える請求項２４に記載の装置。
【請求項２９】
前記受信信号を識別するために、送信中に前記ユーザによって用いられた前記拡散符号の反転である逆拡散符号を使用する逆拡散フィルタをさらに備える請求項２８に記載の装置。
【請求項３０】
入力信号を受信するための１つまたは複数のアンテナをさらに備える請求項２８に記載の装置。
【請求項３１】
シングルキャリア制御信号の取得を円滑にする方法であって、
ハイブリッドＦＤＭ−ＣＤＭ（周波数分割多重−符号分割多重）構造をサポートする入力信号を受信することと、
前記受信信号を復調することと、
時間領域において前記受信信号を逆拡散することと、
周波数領域において前記受信信号を逆拡散することと
を備える方法。
【請求項３２】
前記受信信号に反転ホッピング系列を適用することをさらに備える請求項３１に記載の方法。
【請求項３３】
セル内の１つまたは複数のユーザからの信号を分離するために高速フーリエ変換（ＦＦＴ）を適用することをさらに備える請求項３１に記載の方法。
【請求項３４】
ユーザによって送信された制御信号の復元を円滑にする無線通信装置であって、
ハイブリッドＦＤＭ−ＣＤＭ（周波数分割多重−符号分割多重）構造をサポートする入力信号を受信するための手段と、
前記受信信号を復調するための手段と、
時間領域および周波数領域において前記受信信号を逆拡散するための手段と
を備える装置。
【請求項３５】
前記制御信号がシングルキャリア波形である、請求項３４に記載の無線通信装置。
【請求項３６】
前記受信信号に反転ホッピング系列を適用するための手段をさらに備える請求項３４に記載の無線通信装置。
【請求項３７】
ハイブリッドＦＤＭ−ＣＤＭ（周波数分割多重−符号分割多重）構造を使用するシングルキャリア制御信号を受信するための方法であって、
部分的に受信信号の復調に基づいて少なくとも１つのセル内のユーザからの信号のセットを識別することと、
部分的に時間領域および周波数領域において前記信号のセットに対して行われる逆拡散操作に基づいて前記少なくとも１つのセル内の特定のユーザに関連する少なくとも１つの信号を識別することと
を備える方法。
【請求項３８】
前記信号のセットを分離するために高速フーリエ変換（ＦＦＴ）を適用することをさらに備える請求項３７に記載の方法。
【請求項３９】
前記逆拡散操作を行うためにフィルタリング技法を使用することをさらに備える請求項３７に記載の方法。
【請求項４０】
ハイブリッドＦＤＭ−ＣＤＭ（周波数分割多重−符号分割多重）構造を使用しているシングルキャリア制御チャネルを送信することに関連する命令を保持するメモリと、
前記メモリに結合され前記メモリ内に保持された前記命令を実行するように構成されたプロセッサと
を備える無線通信装置。
【請求項４１】
ユーザの観点からの周波数ダイバーシティを最大化する無線通信システムにおいて、
互いに周波数分割多重（ＦＤＭ）された１つまたは複数のグループに制御チャネルを分割し、
時間領域および周波数領域において前記１つまたは複数のグループの各々の中のユーザからの制御チャネル信号に対して符号分割多重（ＣＤＭ）を行う
ように構成されたプロセッサ
を備える装置。
【請求項４２】
周波数領域における前記符号分割多重が、拡散系列の巡回シフトを使用することによって実行される、請求項４１に記載の無線通信システム。
【請求項４３】
前記拡散系列がＺａｄｏｆｆ−Ｃｈｕ系列である、請求項４２に記載の無線通信システム。
【請求項４４】
時間領域における前記符号分割多重が、直交拡散符号を使用することによって実行される、請求項４１に記載の無線通信システム。
【請求項４５】
前記拡散符号がアダマール系列である、請求項４４に記載の無線通信システム。
【請求項４６】
ハイブリッドＦＤＭ−ＣＤＭ（周波数分割多重−符号分割多重）構造を使用しているシングルキャリア制御チャネルを受信することに関連する命令を保持するメモリと、
前記メモリに結合され前記メモリ内に保持された前記命令を実行するように構成されたプロセッサと
を備える無線通信装置。
【発明の詳細な説明】
【技術分野】
【０００１】
［関連出願の相互参照］
本出願は、参照によりその全体が本明細書に組み込まれる、２００６年１１月１日出願の「A METHOD AND APPARATUS FOR HYBRID FDM-CDM STRUCTURE FOR SINGLE CARRIER BASED CONTROL CHANNELS」という名称の米国特許仮出願第６０／８６３，９５５号の、米国特許法第１１９条に基づく優先権の利益を主張する。
【背景技術】
【０００２】
［背景］
I．分野
以下の記述は、一般に、無線通信に関し、より詳細には、増大された周波数ダイバーシティを所与のユーザに提供する、シングルキャリアベースの制御チャネル用のハイブリッドＦＤＭ（周波数分割多重）−ＣＤＭ（符号分割多重）構造に関する。
【０００３】
II．［背景］
無線通信システムは、たとえば音声、データなど様々なタイプの通信コンテンツを提供するために広く展開されている。代表的な無線通信システムは、使用可能なシステムリソース（たとえば帯域幅、送信電力）を共有することによって複数のユーザとの通信をサポートできる多重接続システムとすることができる。そのような多重接続システムの例としては、符号分割多重接続（ＣＤＭＡ）システム、時分割多重接続（ＴＤＭＡ）システム、周波数分割多重接続（ＦＤＭＡ）システム、直交周波数分割多重接続（ＯＦＤＭＡ）システムなどが挙げられる。
【０００４】
一般に、無線多重接続通信システムは、複数のモバイルデバイスのための通信を同時にサポートすることができる。それぞれのモバイルデバイスは、順方向リンクおよび逆方向リンク上の伝送を介して１つまたは複数の基地局と通信することができる。順方向リンク（またはダウンリンク）は基地局からモバイルデバイスへの通信リンクを意味し、逆方向リンク（またはアップリンク）はモバイルデバイスから基地局への通信リンクを意味する。さらに、モバイルデバイスと基地局との間の通信は、１入力１出力（ＳＩＳＯ）システム、多入力１出力（ＭＩＳＯ）システム、多入力多出力（ＭＩＭＯ）システムなどを介して確立することができる。
【０００５】
ＭＩＭＯシステムは、通常、データ伝送用に複数（ＮＴ個）の送信アンテナおよび複数（ＮＲ個）の受信アンテナを使用する。ＮＴ個の送信アンテナおよびＮＲ個の受信アンテナによって形成されるＭＩＭＯチャネルは、空間チャネルと呼ばれることもあるＮＳ個の独立チャネルに分解することができる（ただし、ＮＳ≦｛ＮＴ，ＮＲ｝）。このＮＳ個の独立チャネルはそれぞれ、１つの次元に対応する。さらに、複数の送信アンテナおよび受信アンテナによって作り出される追加の次元が利用される場合、ＭＩＭＯシステムは、性能の向上（たとえば、スペクトル効率の増大、スループットの向上および／または信頼性の向上）を可能にすることができる。
【０００６】
ＭＩＭＯシステムは、共通の物理媒体を介した順方向リンク通信および逆方向リンク通信を分割する様々な複信技法をサポートすることができる。たとえば、周波数分割複信（ＦＤＤ）システムは、順方向リンク通信および逆方向リンク通信に対して異なる周波数領域を利用することができる。さらに、時分割複信（ＴＤＤ）システムでは、順方向リンク通信および逆方向リンク通信は、共通の周波数領域を使用することができる。しかしながら、従来の技術では、ユーザが不連続トーン（tone）にわたって伝送することが不可能であり、したがって、信号を伝送するのに使用可能な帯域幅全体を利用するために最大の周波数ダイバーシティを所与のユーザに提供することができない。
【発明の概要】
【０００７】
［概要］
以下に、１つまたは複数の態様についての基本的な理解を与えるために、そのような態様の簡単な概要を提示する。この概要は、企図されたすべての態様についての包括的な概観ではなく、すべての態様の重要なまたは決定的な要素を特定するものでもなく、いずれかまたはすべての態様の範囲を示すものでもない。その唯一の目的は、１つまたは複数の態様の一部の概念を、下記に示されるより詳細な説明の前置きとして簡略化された形で提示することである。
【０００８】
本システムの一態様によれば、ユーザの観点からの周波数ダイバーシティを最大化するための無線通信システムにおいて動作可能な装置が本明細書で開示される。本装置は、異なるグループ内のユーザからの信号に対して周波数分割多重（ＦＤＭ）を行うための手段と、同じグループ内のユーザからの信号に対して周波数領域における符号分割多重（ＣＤＭ）を行うための手段とを含む。さらに、本装置は、同じグループ内のユーザからの信号に対して時間領域における符号分割多重（ＣＤＭ）を行うための手段を含む。
【０００９】
本明細書の別の一態様は、使用可能な帯域幅においてシングルキャリア(single carrier)制御信号を送信するための所与のユーザについての周波数ダイバーシティを最大化する方法に関する。本方法は、異なるグループ内のユーザからの信号を周波数分割多重（ＦＤＭ）することと、同じグループ内のユーザからの信号を周波数領域において符号分割多重（ＣＤＭ）することと、同じグループ内のユーザからの信号を時間領域において符号分割多重（ＣＤＭ）することとを含む。したがって、送信された信号はハイブリッドＦＤＭ−ＣＤＭ構造を有する。
【００１０】
本明細書の一態様は、ユーザの観点からの周波数ダイバーシティを最大化する無線通信システムにおいて動作可能な装置を開示する。本装置は、所与のセル内のユーザからの受信信号を識別するハイブリッドＦＤＭ−ＣＤＭ受信構成要素であって、この受信信号がハイブリッドＦＤＭ−ＣＤＭ方式を使用する、構成要素を備える。この受信信号は、送信信号を求めるために受信端で時間領域および周波数領域において復調および逆拡散される。
【００１１】
本明細書の別の一態様によれば、シングルキャリア制御信号の取得を円滑にする方法が開示される。本方法は、ハイブリッドＦＤＭ−ＣＤＭ（周波数分割多重−符号分割多重）構造をサポートする入力信号を受信することを含む。この受信された信号は、ほとんどどんな復調技法を使用することによっても復調される。本方法は、所与のセル内の特定のユーザによって送信された信号を取得するために、時間領域において受信信号を逆拡散することと、周波数領域において受信信号を逆拡散することとをさらに含む。
【００１２】
本明細書の別の一態様は、ユーザによって送信された制御信号の復元を円滑にする無線通信装置を教示する。この無線通信装置は、ハイブリッドＦＤＭ−ＣＤＭ（周波数分割多重−符号分割多重）構造をサポートする入力信号を受信するための手段を備える。さらに、この無線通信装置は、特定のセルから特定のユーザによって送信された信号を求めるために、受信信号を復調するための手段と、時間領域および周波数領域において受信信号を逆拡散するための手段とを備える。
【００１３】
本明細書の一態様によれば、ハイブリッドＦＤＭ−ＣＤＭ（周波数分割多重−符号分割多重）構造を使用するシングルキャリア制御信号を受信するための方法であって、部分的に受信信号の復調に基づいて少なくとも１つのセル内のユーザからの信号のセットを識別することと、部分的に時間領域および周波数領域において信号のセットに対して行われる逆拡散操作に基づいて少なくとも１つのセル内の特定のユーザに関連する少なくとも１つの信号を識別することとを含む方法が開示される。このハイブリッドＦＤＭ−ＣＤＭ構造は、特定のユーザの観点からの周波数ダイバーシティを最大化する。
【００１４】
本明細書のさらに別の一態様は、ハイブリッドＦＤＭ−ＣＤＭ構造を使用しているシングルキャリア制御チャネルを送信することに関連する命令を保持するメモリを備える無線通信装置に関する。また、この無線通信装置は、このメモリに結合され該メモリ内に保持された命令を実行するように構成されたプロセッサも含む。
【００１５】
本明細書の一態様によれば、ユーザの観点からの周波数ダイバーシティを最大化する無線通信システムが提供される。本システムは、互いに周波数分割多重（ＦＤＭ）された１つまたは複数のグループへと制御チャネルを分割し、時間領域および周波数領域において１つまたは複数のグループの各々の中のユーザからの制御チャネル信号に対して符号分割多重（ＣＤＭ）を行うように構成されたプロセッサを含む。
【００１６】
本明細書のさらに別の一態様によれば、ハイブリッドＦＤＭ−ＣＤＭ構造を使用しているシングルキャリア制御チャネルを受信することに関連する命令を保持するメモリと、このメモリに結合され該メモリ内に保持された命令を実行するように構成されたプロセッサとを備える無線通信装置が開示される。
【００１７】
前述のおよび関連の目的を達成するために、これらの１つおよび複数の態様は、以下で十分に説明され、特許請求の範囲で具体的に指摘された特徴を備える。以下の説明および添付の図面は、これらの１つまたは複数の態様のうちのいくつかの例示的な態様を詳細に記載している。しかし、これらの態様は、多様な態様の原理を使用することができる様々なやり方のうちのほんのいくつかを示し、説明される態様は、すべてのそのような態様およびそれらの均等物を含むものである。
【図面の簡単な説明】
【００１８】
【図１】本明細書に記載の様々な態様による無線通信システムを示す図。
【図２】１つまたは複数の態様に関連して利用できる複数の基地局および複数の端末を有する無線通信システムを示す図。
【図３】システムの一態様によるハイブリッドＦＤＭ−ＣＤＭ（周波数分割多重−符号分割多重）構造を用いて信号を送信する例示的なシステムを示す図。
【図４】システムの一態様によるハイブリッドＦＤＭ−ＣＤＭ構造を用いて信号を受信する例示的なシステムを示す図。
【図５】本明細書の一態様によるハイブリッドＦＤＭ−ＣＤＭ構造を使用することによって信号の送信を円滑にする例示的な方法を示す図。
【図６】無線通信システムにおいてハイブリッドＦＤＭ−ＣＤＭ構造を使用することによって、ユーザによって送信された信号の復元を円滑にする例示的な方法を示す図。
【図７Ａ】ユーザが従来のシステムを使用することによってシングルキャリア制御チャネルを送信することができる周波数を示す例示的な図式。
【図７Ｂ】ユーザが従来のシステムを使用することによってシングルキャリア制御チャネルを送信することができる周波数を示す例示的な図式。
【図８】システムの一態様による所与のユーザの観点からの周波数ダイバーシティの増大を促進する例示的なハイブリッドＦＤＭ−ＣＤＭを示す図。
【図９】本明細書の一態様によるセル間伝送中にパイロット間の直交性を維持することができる例示的な時間領域ＣＤＭ構造を示す図。
【図１０】本開示の一態様による、信号送信のためにハイブリッドＦＤＭ−ＣＤＭ構造を使用する例示的なモバイルデバイスを示す図。
【図１１】システムの一態様による、ハイブリッドＦＤＭ−ＣＤＭ構造を使用している信号の復元を円滑にする例示的なシステムを示す図。
【図１２】本明細書で説明される様々なシステムおよび方法とともに使用できる例示的な無線ネットワーク環境を示す図。
【図１３】ハイブリッドＦＤＭ−ＣＤＭ構造をサポートする信号の送信を円滑にする例示的なシステムを示す図。
【図１４】ハイブリッドＦＤＭ−ＣＤＭ構造をサポートする信号を受信する例示的なシステムを示す図。
【発明を実施するための形態】
【００１９】
［詳細な説明］
次に、様々な実施形態について図面を参照しながら説明するが、図面全体にわたって同じ要素を指すのに同じ参照符号が使用される。以下の説明では、説明の目的で、１つまたは複数の実施形態の完全な理解を与えるために多くの具体的な詳細が記載されている。しかしながら、そのような（１つまたは複数の）実施形態は、これらの具体的な詳細がなくとも実施できることは明らかであろう。他の例では、１つまたは複数の実施形態の説明を円滑にするために、よく知られた構造およびデバイスがブロック図の形態で示される。
【００２０】
本出願で使用される用語「構成要素」、「モジュール」、「システム」などは、ハードウェア、ファームウェア、ハードウェアとソフトウェアの組合せ、ソフトウェア、または実行中のソフトウェアなど、コンピュータ関連のエンティティを指すものである。たとえば、構成要素は、プロセッサ上で実行されるプロセス、プロセッサ、オブジェクト、実行ファイル、実行スレッド、プログラム、および／またはコンピュータとすることができるが、それらであることに限定されない。例として、コンピューティングデバイスで実行されるアプリケーションとそのコンピューティングデバイスとの両方を構成要素とすることができる。１つまたは複数の構成要素がプロセスおよび／または実行スレッド内にあってもよく、１つの構成要素が、１つのコンピュータ上に局所的に置かれてもよいし、および／または２つ以上のコンピュータ間で分散されてもよい。また、これらの構成要素は、その媒体上に様々なデータ構造を格納した様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。さらに、用語「基準信号」、「パイロット」などは、本出願では同義的に使用され、監視、制御、等化、連続、同期、参照の目的などで通信システムを介して送信される信号を指すものである。
【００２１】
さらに、様々な実施形態についてモバイルデバイスに関連して本明細書で説明される。モバイルデバイスは、システム、加入者ユニット、加入者局、移動局、移動体、リモート局、リモート端末、アクセス端末、ユーザ端末、端末、無線通信デバイス、ユーザエージェント、ユーザデバイス、またはユーザ機器（ＵＥ）と呼ばれる場合もある。モバイルデバイスは、セルラ電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、コンピューティングデバイス、または無線モデムに接続された他の処理デバイスとすることができる。さらに、様々な実施形態について基地局に関連して本明細書で説明される。基地局は、（１つまたは複数の）モバイルデバイスと通信するために利用でき、アクセスポイント、ノードＢ、または何らかの他の用語で呼ばれることもある。
【００２２】
さらに、本明細書で説明される様々な態様または特徴は、標準のプログラミングおよび／またはエンジニアリング技術を使用した方法、装置または製品として実施できる。本明細書で使用される用語「製品」は、任意のコンピュータ可読デバイス、キャリア、または媒体からアクセス可能なコンピュータプログラムを包含するものである。たとえば、コンピュータ可読媒体は、磁気記憶デバイス（たとえば、ハードディスク、フロッピー（登録商標）ディスク、磁気ストリップなど）、光ディスク（たとえば、コンパクトディスク（ＣＤ）、ディジタル多目的ディスク（ＤＶＤ）など）、スマートカード、およびフラッシュメモリデバイス（たとえば、ＥＰＲＯＭ、カード、スティック、キードライブなど）を含むことができるが、これらに限定されない。さらに、本明細書で説明される様々な記憶媒体は、情報を格納するための１つまたは複数のデバイスおよび／または他の機械可読媒体を表すことができる。用語「機械可読媒体」は、無線チャネル、ならびに（１つまたは複数の）命令および／またはデータを格納、含有、および／または搬送することが可能である他の様々な媒体を含むことができるが、これらであることに限定されない。
【００２３】
ここで図１を参照すると、本明細書で提示される様々な実施形態による無線通信システム１００が示されている。システム１００は、複数のアンテナグループを含むことができる基地局１０２を備える。たとえば、１つのアンテナグループは、アンテナ１０４および１０６を含むことができ、別のグループは、アンテナ１０８および１１０を備えることができ、さらなるグループは、アンテナ１１２および１１４を含むことができる。各アンテナグループごとに２つのアンテナが示されているが、各グループごとにより多いまたはより少ないアンテナを利用してもよい。基地局１０２は、追加として、送信機チェーンおよび受信機チェーンを含んでよく、当業者には理解されるように、この送信機チェーンおよび受信機チェーンの各々は、信号送受信に関連する複数の構成要素（たとえば、プロセッサ、変調器、マルチプレクサ、復調器、デマルチプレクサ、アンテナなど）を備えることができる。
【００２４】
基地局１０２は、１つまたは複数のモバイルデバイス、たとえばモバイルデバイス１１６およびモバイルデバイス１２２と通信することができるが、基地局１０２は、モバイルデバイス１１６および１２２に類似する実質的にいかなる数のモバイルデバイスとも通信できることを理解されたい。モバイルデバイス１１６および１２２は、たとえば、セルラ電話、スマートフォン、ラップトップ、ハンドヘルド通信デバイス、ハンドヘルドコンピューティングデバイス、衛星ラジオ、全地球測位システム、ＰＤＡ、および／または無線通信システム１００を介して通信するための他の適切なデバイスとすることができる。示されているように、モバイルデバイス１１６は、アンテナ１１２および１１４と通信しており、アンテナ１１２および１１４は、順方向リンク１１８を介して情報をモバイルデバイス１１６に送信し、逆方向リンク１２０を介して情報をモバイルデバイス１１６から受信する。さらに、モバイルデバイス１２２は、アンテナ１０４および１０６と通信しており、アンテナ１０４および１０６は、順方向リンク１２４を介して情報をモバイルデバイス１２２に送信し、逆方向リンク１２６を介して情報をモバイルデバイス１２２から受信する。周波数分割複信（ＦＤＤ）システムの場合、順方向リンク１１８は、逆方向リンク１２０によって使用される周波数帯とは異なる周波数帯を利用することができ、順方向リンク１２４は、逆方向リンク１２６によって使用される周波数帯とは異なる周波数帯を使用することができる。さらに、時分割複信（ＴＤＤ）システムの場合、順方向リンク１１８および逆方向リンク１２０は共通の周波数帯を利用することができ、順方向リンク１２４および逆方向リンク１２６は共通の周波数帯を利用することができる。
【００２５】
アンテナのセットおよび／またはそのエリア内でこのアンテナのセットが通信するように指定されるエリアは、基地局１０２のセクタと呼ばれることがある。たとえば、基地局１０２によってカバーされるエリアのセクタ内のモバイルデバイスと通信するように、複数のアンテナを設計することができる。順方向リンク１１８および１２４を介した通信において、基地局１０２の送信アンテナは、モバイルデバイス１１６および１２２についての順方向リンク１１８および１２４の信号対雑音比を向上させるためにビームフォーミングを利用することができる。さらに、基地局１０２が、関連するカバレージ中に不規則に散在するモバイルデバイス１１６および１２２に送信するためにビームフォーミングを利用する間は、基地局が単一アンテナを介してその基地局のモバイルデバイスすべてに送信するときと比較して、隣接セル内のモバイルデバイスが、干渉をより受けにくくすることができる。
【００２６】
次に図２を参照すると、本明細書で提示される様々な態様による無線通信システム２００が示されている。システム２００は、互いに、および／または１つまたは複数の端末２０４に対して無線通信信号の受信、送信、中継などを行う１つまたは複数のアクセスポイント２０２を備えることができる。それぞれの基地局２０２は、複数の送信機チェーンおよび受信機チェーンを、たとえば送受信アンテナごとに１つずつ備えることができ、この送信機チェーンおよび受信機チェーンの各々は、信号送受信に関連する複数の構成要素（たとえば、プロセッサ、変調器、マルチプレクサ、復調器、デマルチプレクサ、アンテナなど）を備えることができる。端末２０４は、たとえば、セルラ電話、スマートフォン、ラップトップ、ハンドヘルド通信デバイス、ハンドヘルドコンピューティングデバイス、衛星ラジオ、全地球測位システム、ＰＤＡ、および／または無線システム２００を介して通信するための他の適切なデバイスとすることができる。さらに、各端末２０４は、多入力多出力（ＭＩＭＯ）システムで使用されるような１つまたは複数の送信機チェーンおよび受信機チェーンを備えることができる。当業者には理解されるように、各送受信機チェーンは、信号送受信に関連する複数の構成要素（たとえば、プロセッサ、変調器、マルチプレクサ、復調器、デマルチプレクサ、アンテナなど）を備えることができる。
【００２７】
図２に示されるように、各アクセスポイントは、特定の地理的エリア２０６に対して通信カバレージを提供する。用語「セル」は、文脈に応じて、アクセスポイントおよび／またはそのカバレージエリアを指すことがある。システム容量を改善するために、アクセスポイントのカバレージエリアを、複数のより小さいエリア（たとえば、３つのより小さいエリア２０８Ａ、２０８Ｂおよび２０８Ｃ）に区分化することができる。それぞれのより小さいエリアは、各々の基地トランシーバサブシステム（ＢＴＳ）によってサービスされる。用語「セクタ」は、文脈に応じて、ＢＴＳおよび／またはそのカバレージエリアを指すことがある。セクタ区分化されたセルの場合、そのセルの全セクタの基地トランシーバサブシステムは、一般に、そのセルのアクセスポイント内に共設される。
【００２８】
端末２０４は、一般に、システム２００全体を通じて分散される。各端末２０４は、移動式でもよく、または固定式でもよい。各端末２０４は、所与の瞬間において、順方向リンクおよび逆方向リンク上で１つまたは複数のアクセスポイント２０２と通信することができる。
【００２９】
集中型アーキテクチャの場合、システムコントローラ２１０が、アクセスポイント２０２に結合され、アクセスポイント２０２の調整および制御を行う。分散型アーキテクチャの場合、アクセスポイント２０２は、必要に応じて互いに通信することができる。システムコントローラ２１０などを介したアクセスポイント間の通信は、バックホールシグナリング（backhaul signaling）と呼ばれる場合がある。
【００３０】
本明細書で述べる技法は、セルがセクタ区分化されたシステム２００、およびセルがセクタ区分化されていないシステムに対して使用することができる。明確にするために、以下の説明は、セルがセクタ区分化されたシステムに関するものとする。用語「アクセスポイント」は、セクタにサービスする固定局、およびセルにサービスする固定局に対して総称的に使用される。用語「端末」および「ユーザ」は同義的に使用され、用語「セクタ」および「アクセスポイント」も同義的に使用される。サービス提供アクセスポイント／セクタとは、端末が通信を行っているアクセスポイント／セクタである。隣接アクセスポイント／セクタとは、端末が通信を行っていないアクセスポイント／セクタである。
【００３１】
図３を参照すると、送信すべき信号についてのハイブリッドＦＤＭ−ＣＤＭ構造を生成する例示的なシステム３００が示されている。概して、システム３００は、ほとんどどんな通信システム（図示せず）、たとえばＬＴＥ（登録商標）（ロングタームエボリューション）システムの一部にもなり得る。ＬＴＥシステムは、一般に、これらに限定されるものでないが、効率性向上、経費削減、サービス改善、新規のスペクトル機会（spectrum opportunity）の利用、および他のオープンスタンダードとの統合の改良などに焦点を当てることできる。一般に、ＬＴＥシステムは、ダウンリンク（タワー（tower）からモバイルデバイス）にはＯＦＤＭＡ（直交周波数分割多重接続）を、アップリンク（モバイルデバイスからタワー）にはシングルキャリア波を使用することができる。さらに、本システムは、ステーション当たり２つ以上のアンテナを有するＭＩＭＯ（多入力多出力）を使用することができる。
【００３２】
一般に、ＯＦＤＭ変調は、サブキャリアのサブセットを個々のユーザに割り当てることによって多重接続を実現する。したがって、各ユーザには、信号を基地局に送信するためのトーンの特定のセットを割り当てることができる。さらに、アップリンク（逆方向リンク）中、従来のシステムは、ユーザが、異なる不連続トーン上に伝送することが不可能であるシングルキャリア変調技法を使用する。従来のシステムがＦＤＭ（周波数分割多重）を使用して論理チャネルを送信することが可能である。
【００３３】
一態様では、論理チャネルは、制御チャネルおよびトラフィックチャネルに分類することができる。一般に、論理制御チャネルは、システム制御情報をブロードキャストするためのＤＬ（ダウンリンク）チャネルであるブロードキャスト制御チャネル（ＢＣＣＨ：Broadcast Control Channel）、ページング情報を転送するＤＬチャネルであるページング制御チャネル（ＰＣＣＨ：Paging Control Channel）、ならびに／または１つまたは複数のＭＴＣＨについてのマルチメディアブロードキャストおよびマルチキャストサービス（ＭＢＭＳ：multimedia broadcast and multicast service）のスケジューリングおよび制御情報を伝送するために使用されるポイントツーマルチポイント（point-to-multipoint）ＤＬチャネルであるマルチキャスト制御チャネル（ＭＣＣＨ：Multicast Control Channel）を備えることができる。概して、ＲＲＣ（無線リソース制御）接続を確立した後、このチャネルは、ＭＢＭＳ（注：古いＭＣＣＨ＋ＭＳＣＨ）を受信するＵＥ（ユーザ機器）のみによって使用できる。さらに、専用制御チャネル（ＤＣＣＨ：Dedicated Control Channel）は、専用制御情報を送信し、ＲＲＣ接続を有するＵＥによって使用されるポイントツーポイント双方向チャネルである。態様では、論理トラフィックチャネルは、ユーザ情報を転送するための１つのＵＥに専用のポイントツーポイント双方向チャネルである専用トラフィックチャネル（ＤＴＣＨ：Dedicated Traffic Channel）と、トラフィックデータを伝送するためのポイントツーマルチポイントＤＬチャネルであるマルチキャストトラフィックチャネル（ＭＴＣＨ：Multicast Traffic Channel）とを備える。
【００３４】
一態様では、トランスポートチャネルは、一般に、ＤＬ（ダウンリンク）チャネルおよびＵＬ（アップリンク）チャネルに分類することができる。ＤＬトランスポートチャネルは、ブロードキャストチャネル（ＢＣＨ：Broadcast Channel）、ダウンリンク共有データチャネル（ＤＬ−ＳＤＣＨ：Downlink Shared Data Channel）、およびページングチャネル（ＰＣＨ：Paging Channel）を備えることができ、このＰＣＨは、ＵＥ省電力化（ＤＲＸサイクルはネットワークによってＵＥに示される）をサポートすることができ、これらのチャネルは、セル全体にわたってブロードキャストされ、他の制御／トラフィックチャネル用に使用できるＰＨＹリソースにマッピングされる。ＵＬトランスポートチャネルは、ランダムアクセスチャネル（ＲＡＣＨ：Random Access Channel）、要求チャネル（ＲＥＱＣＨ：Request Channel）、アップリンク共有データチャネル（ＵＬ−ＳＤＣＨ：Uplink Shared Data Channel）、および１つまたは複数のＰＨＹチャネルを備えることができる。このＰＨＹチャネルは、ＤＬチャネルおよびＵＬチャネルのセット、たとえば、これらに限定されるものでないが、共通パイロットチャネル（ＣＰＩＣＨ：Common Pilot Channel）、同期チャネル（ＳＣＨ：Synchronization Channel）、共通制御チャネル（ＣＣＣＨ：Common Control Channel）、共有ＤＬ制御チャネル（ＳＤＣＣＨ：Shared DL Control Channel）、マルチキャスト制御チャネル（ＭＣＣＨ：Multicast Control Channel）、共有ＵＬ割り当てチャネル（ＳＵＡＣＨ：Shared UL Assignment Channel）、肯定応答チャネル（ＡＣＫＣＨ：Acknowledgement Channel）、ＤＬ物理共有データチャネル（ＤＬ−ＰＳＤＣＨ：DL Physical Shared Data Channel）、ＵＬ電力制御チャネル（ＵＰＣＣＨ：UL Power Control Channel）、ページングインジケータチャネル（ＰＩＣＨ： Paging Indicator Channel）、負荷インジケータチャネル（ＬＩＣＨ：Load Indicator Channel）、物理ランダムアクセスチャネル（ＰＲＡＣＨ：Physical Random Access Channel）、チャネル品質インジケータチャネル（ＣＱＩＣＨ：Channel Quality Indicator Channel）、肯定応答チャネル（ＡＣＫＣＨ：Acknowledgement Channel）、アンテナサブセットインジケータチャネル（ＡＳＩＣＨ：Antenna Subset Indicator Channel）、共有要求チャネル（ＳＲＥＱＣＨ：Shared Request Channel）、ＵＬ物理共有データチャネル（ＵＬ−ＰＳＤＣＨ：UL Physical Shared Data Channel）、ブロードバンドパイロットチャネル（ＢＰＩＣＨ：Broadband Pilot Channel）などを備えることができる。
【００３５】
一般に、シングルキャリア波形のＰＡＲ特性を（所与の時点において、チャネルが周波数において連続するまたは一様に離間されるように）低いまま保つチャネル構造が提供される。しかしながら、従来のシステムによって提供される構造では、ユーザが不連続チャネルにわたって送信することが不可能である。
【００３６】
再び図３を参照すると、システム３００は、所与の帯域幅にわたるユーザについての最大周波数ダイバーシティを実現し、その結果ユーザが、異なる不連続トーンにわたって信号を送信できるようにするために使用可能であるハイブリッドＦＤＭ−ＣＤＭ生成構成要素３０２を含むことができる。このハイブリッドＦＤＭ−ＣＤＭ構成要素３０２は、送信すべき信号（たとえば制御信号）を受信し、ハイブリッドＦＤＭ−ＣＤＭ技法を使用することによってこの信号を変調することができるハイブリッドＦＤＭ−ＣＤＭ変調器３０４を含むことができる。このハイブリッドＦＤＭ−ＣＤＭ技法は、ＦＤＭとＦＤ−ＣＤＭ（周波数領域符号分割多重）の組合せとすることができる。
【００３７】
ハイブリッドＦＤＭ−ＣＤＭ技法は、所与のセル内のユーザに対し増大された周波数ダイバーシティを提供することができ、その結果それぞれのユーザは、使用可能な帯域幅全体にわたって送信することができる。ハイブリッドＦＤＭ−ＣＤＭ変調器３０４は、多重接続通信を実現するために、ほとんどどんな拡散系列、たとえばＺａｄｏｆｆ−Ｃｈｕ（ＺＣ）系列の巡回シフト（cyclic shift）でも使用することができる。さらに、より大きな周波数ダイバーシティを実現し、使用可能な帯域幅をより効率的に利用するために、周波数ホッピング技法が使用できる。
【００３８】
次いで、被変調信号を、この信号をさらに多重化するために使用できる基準信号（ＲＳ：Reference signal）マルチプレクサ３０６に送ることができる。このＲＳマルチプレクサ３０６は、異なるセル内のユーザが受信機において識別できるように、時間領域ＣＤＭを使用することができる。したがって、隣接セル内のユーザはＦＤ−ＣＤＭについて同じ帯域幅および同じＺＣ系列を利用することができる。拡散操作は、時間領域においてほとんどどんな拡散符号を使用することによってもＲＳマルチプレクサ３０４によって実施することができる。一例として、系列は、時間領域において固有なアダマール符号(Hadamard code)で乗算することができる。ＲＳマルチプレクサ３０６は、ほとんどどんな直交符号でも使用することができるものと理解されたい。したがって、異なるセル中のユーザは、同じ帯域幅を占有することができ、この異なるセルにわたって異なる直交符号を使用するならば、信号を送信するのに同じ系列のセットを使用することができる。ＲＳマルチプレクサ３０６は、変調について同じ系列を使用する異なるセル内のユーザのパイロットが干渉しないことを保証する。一般に、多重化された信号は、アンテナを介して受信機または基地局（図示せず）に送信することができる。多重化された信号は、受信機で処理して、元の信号を求めることができる。
【００３９】
次に図４を参照すると、本発明の一態様による、受信信号を取得するために使用可能であるシステム４００が示されている。システム４００は、概して、１つまたは複数のアンテナ（図示せず）を介して入力信号を受信できるハイブリッドＦＤＭ−ＣＤＭ受信構成要素４０２を含む。このハイブリッドＦＤＭ−ＣＤＭ受信構成要素４０２は、基地局またはモバイルデバイスなど、受信機端におけるほとんどどんな通信システム（たとえばＭＩＭＯシステム）の一部にもなり得る。
【００４０】
受信された信号は、各セルからのユーザグループを分離するために、復調器４０４によって復調される。異なるグループを識別するために、ほとんどどんな復調技法でも使用できることを理解されたい。一例として、ＦＦＴ（Fast Fourier Transform：高速フーリエ変換）を、復調器４０４による周波数復調に使用することができる。さらに、周波数ホッピング方式が送信機において使用されている場合、復調器４０４は、受信端において信号を検出するために反転ホッピング系列を利用することができる。このようにして、復調器４０４は、異なるセル内のユーザセットからの信号を分離することができる。
【００４１】
次に、この復調された信号を使用して、復調器４０４によって識別されたユーザの各セットに対して逆拡散操作を行うことによって、各セル内の各ユーザからの信号を分離することができる。この逆拡散操作は、逆拡散器４０６によって実行することができる。逆拡散器４０６は、特定のセル内の特定のユーザによって送信された信号を復元するために、時間領域および周波数領域において被復調信号に逆拡散操作を行うことができる。逆拡散器４０６は、１つまたは複数の逆拡散フィルタを使用して、セル内のユーザグループから特定のユーザからの信号を識別することができる。一般に、逆拡散フィルタは、送信中にユーザによって用いられた拡散符号の反転である逆拡散符号を使用することができる。
【００４２】
図５は、本明細書の一態様によるハイブリッドＦＤＭ−ＣＤＭ構造を使用することによって信号を送信する方法５００を示す。説明を簡単にするために、本明細書で、たとえば流れ図の形で示される１つまたは複数の方法は、一連の動作として図示および説明されるが、本明細書によれば、いくつかの動作は、本明細書で図示および説明される動作とは異なる順序でおよび／または他の動作と同時に発生する場合があるため、本明細書は動作の順序によって限定されない点を理解および認識されたい。たとえば、方法は、代替的に、状態図におけるように一連の相互に関連する状態またはイベントとして表せることを当業者は理解および認識されよう。さらに、本明細書による方法を実現するために、図示されたすべての動作が必要とされるわけではない。
【００４３】
再び図５を参照すると、５０２において、送信すべき信号を受信することができる。次いで、５０４において、この受信信号は、ハイブリッドＦＤＭ−ＣＤＭ構造を使用することによって変調することができる。変調により、各ユーザは、使用可能な帯域幅全体を占有できるようになる。一例として、Ｃｈｕ多重化を使用して受信信号を変調することができ、それにより所与のセル内の各ユーザはトーンの不連続セットを占有できるようになる。しかしながら、周波数領域における多重化については、ほとんどどんな系列でも使用できることを理解されたい。さらに、周波数ダイバーシティの増大を達成するために、信号を周波数ホッピングすることができる。
【００４４】
さらに、５０６において、ＦＤＭ−ＣＤＭ信号が、時間領域において多重化される。時間領域における符号分割多重を行うために、拡散符号が使用される。一例として、長さ４のアダマール系列をＦＤＭ−ＣＤＭ信号に対して乗算することができる。しかしながら、どんな長さのほとんどどんな直交系列も多重化に使用できる。時間領域におけるＣＤＭは、異なる（隣接）セル内のユーザのパイロットの直交性を維持し、セル全体にわたって複数の基準信号を生成するために使用できる。
【００４５】
次に図６を参照すると、ハイブリッドＦＤＭ−ＣＤＭ構造を使用することによって、ユーザによって送信された信号を復元する方法６００が示されている。６０２において、入力信号が受信される。この信号は、１つまたは複数のアンテナで受信し、次いで６０４において復調して、同じ帯域幅を使用している異なるセルからのユーザグループによって送信された信号を分離することができる。この復調は、ほとんどどんな周波数復調技法（限定されないが、たとえばＦＦＴ）によっても実施することができる。このようにして、周波数復調を使用して、所与のセルからのユーザセットからの信号を識別することができる。
【００４６】
所与のセル内の各ユーザからの信号は、時間領域および周波数領域における信号逆拡散を行うことによって分離することができる。６０６において、時間領域における逆拡散操作を被復調信号に対して行うことができる。さらに６０８において、周波数領域における逆拡散操作を被復調信号に対して行うことができる。所与のセル内の特定のユーザからの信号をフィルタリングするためには、ほとんどどんな逆拡散フィルタリング技法でも使用することができる。フィルタリング技法は、送信中に特定のユーザによって用いられた拡散符号の反転である逆拡散符号を使用することができる。このようにして、特定のセル内の特定のユーザからの信号を識別することができ、６１０において各信号をさらに処理することができる。
【００４７】
図７Ａ〜図７Ｂは、ユーザが従来のシステムを使用することによってシングルキャリア制御チャネルを送信することができる周波数を示す例示的な図式を示す。図７Ａは、２人のユーザが、連続トーンにわたって信号を送信することができるＳＵ−ＭＩＭＯ（シングルユーザ多入力多出力）またはＳＤＭＡ（空間分割多重接続）構造を示す。ＦＤＭ  ＲＳ（基準信号）構造７０２は、セル内伝送に使用することができる。一般に、通信システムは、基準信号を送信して、これらに限定されるものではないが、受信機におけるデータ信号のコヒーレント復調についてのチャネル媒体推定、および送信スケジューリング用途についてのチャネル品質推定を含む、いくつかの受信機およびシステムの用途にサービスする。
【００４８】
図７Ａに見られるように、２つのストリーム（０および１）は、同じ帯域幅を占有することができる。これらのストリームは、同じＵＥ（ＳＵ−ＭＩＭＯ）または異なるＵＥ（ＳＤＭＡ）に由来することができる。この両方のストリームのＲＳは、ＦＤＭを使用することによって、直交して送信することができる。さらに、すべての０および１が、連続トーンで一緒に送信されていることに注目されたい。最初に、ストリーム０が帯域幅の下半分を占有する一方、ストリーム１が上半分を占有する。次の送信の間、ストリーム１は帯域幅の下半分を占有する一方、ストリーム０は上半分を占有する。しかしながら、この２つのストリームは、スペクトルにおいて互いにインタリーブされ得ないことに留意されたい。したがって、従来のシステムでは、ストリームは不連続トーン上に送信することが不可能である。
【００４９】
次に図７Ｂを参照すると、６つのストリーム（０、１、２、３、４および５）が所与の帯域幅（たとえば１８０ｋＨｚ）を占有している従来のＦＤＭ多重化構造７０４が示されている。それぞれのストリームは所与のセル内のユーザからの信号を表す。一般に、所与のセルからのユーザは、制御信号（たとえばＡＣＫ、ＣＱＩなど）を送信するためにこの構造７０４を使用することができる。図示のように、これらのユーザは、該ユーザに割り当てられたスペクトルのうちの異なる部分を占有することができる。したがって、特定のユーザによって利用されるスペクトルを、他のユーザが占有することはできない。一例として、ユーザ３は、ユーザ０が占有しているスペクトル部分を占有することができない。さらに、所与のユーザに対する周波数ダイバーシティを増大させるために、周波数ホッピング方式を使用することができる。たとえば、ユーザ０は、第１の２つのシンボル内の最低周波数を占有しているが、第３のシンボル内のより高い周波数へとホッピングする。しかしながら、ホッピング方式にかかわらず、従来のシステムではトーンの１つのセットを２人以上のユーザが占有することが不可能であり、したがって周波数ダイバーシティが制限される。さらに、従来の構造７０４に見られるように、ユーザは、使用可能である全体の帯域幅中の２つのトーンしか占有することができない。たとえば、ユーザ０は、周波数ホッピング方式を実施した後でさえ、合計１８０ｋＨｚの使用可能な帯域幅のうちの６０ｋＨｚしか占有することができない。
【００５０】
図８は、システムの一態様による所与のユーザの観点からの周波数ダイバーシティをさらに増大させる例示的なハイブリッドＦＤＭ−ＣＤＭ構造８００を示す。示されているように、各ユーザは、使用可能な帯域幅全体を占有することができ、したがって周波数ダイバーシティを最大化することができる。一例として、各ユーザ０〜５は、１８０ｋＨｚの帯域幅全体にわたって送信することができる。したがって、ユーザは、不連続トーンにわたって送信し、最大の周波数ダイバーシティを実現することができる。ハイブリッドＦＤＭ−ＣＤＭ構造は、上述のように多重化によって生成できる。たとえば、多重化中、Ｃｈｕ系列を周波数領域拡散符号として使用することができる。このハイブリッドＦＤＭ−ＣＤＭ構造８００を使用して、所与のセル内の複数のユーザから送信することができる。
【００５１】
次に図９を参照すると、セル間伝送中にパイロット間の直交性を維持することができる例示的な時間領域ＣＤＭ構造９００が示されている。一例として、構造９００では、長さ４のアダマール系列が用いられている。しかしながら、ほとんどどんな長さのほとんどどんな直交系列でも使用できるものと理解されたい。図示の［＋］と［−］のシンボルは直交カバー（orthogonal cover）を表す。系列［＋］［＋］［＋］［＋］、［＋］［＋］［−］［−］、［＋］［−］［＋］［−］および［＋］［−］［−］［＋］は時間において互いに直交している。所与のセルからのユーザは、図からわかるように、時間領域におけるこの直交拡散符号を使用して、（図８の構造８００からわかるように）周波数領域における系列と一緒に、隣接セルからの別のユーザのパイロットとの干渉を回避することができる。
【００５２】
所与のセルには、図９に示された４つのアダマール系列のうち１つを割り当てることができる。所与のセル内のユーザは、隣接セル内のユーザが、異なる直交系列を使用するように特定のアダマール系列を使用することができる。したがって、受信機端では、異なるセルからのユーザが周波数領域において同じ拡散符号を使用するとしても、これらのユーザによって伝送された信号を容易に識別することができる。周波数領域において同じ拡散符号を使用する隣接セルからのユーザを分離するために、逆拡散操作を時間領域において受信機で行うことができる。
【００５３】
別の例としては、時間領域ＣＤＭに対して長さ２のアダマール系列を使用することができる。この系列は、ダウンリンクの対称構造を与え、アップリンクおよびダウンリンク上でのブロックの再使用で実装を単純化することができる。さらに、とりわけより小さい帯域幅の割当ての場合、増大された数のＣｈｕ系列がＲＳとして使用可能となる。
【００５４】
（図８の）構造８００および（図９の）構造９００は、所与のセル内のユーザ間の直交性を保持しつつ、帯域幅全体にわたる最大の周波数ダイバーシティを実現する。さらに、これらの構造は、セル間の逆拡散操作に基づいてパイロットの直交性を維持する。
【００５５】
図１０は、システムの一態様による、信号送信のためにハイブリッドＦＤＭ−ＣＤＭ構造を使用する例示的なモバイルデバイス１０００の図である。モバイルデバイス１０００は、たとえば受信アンテナ（図示せず）から信号を受信する受信機１００２を備えており、この受信信号に対して典型的な動作（たとえば、フィルタリング、増幅、ダウンコンバートなど）を行い、調整された信号をディジタル化してサンプルを得る。一般に、ダウンリンク上でＯＦＤＭＡ信号が受信される。受信機１００２は、たとえばＭＭＳＥ受信機とすることができ、受信シンボルを復調しこの復調されたシンボルをチャネル推定のためにプロセッサ１００６に供給できる復調器１００４を備えることができる。プロセッサ１００６は、受信機１００２によって受信された情報の分析および／または送信機１０１６による送信のための情報の生成に専用のプロセッサ、モバイルデバイス１０００の１つまたは複数の構成要素を制御するプロセッサ、および／または受信機１００２によって受信された情報の分析、送信機１０１６による送信のための情報の生成の両方、およびモバイルデバイス１０００の１つまたは複数の構成要素の制御を行うプロセッサとすることができる。
【００５６】
モバイルデバイス１０００は、追加として、プロセッサ１００６に動作的に結合されるメモリ１００８であって、送信すべきデータ、受信されたデータ、使用可能チャネルに関する情報、分析信号および／または干渉強度に関連するデータ、割り当てられたチャネル、電力、レートなどに関する情報、ならびにチャネルを推定しそのチャネルを介して通信することに関する他の適切な情報を格納できるメモリ１００８を備えることができる。メモリ１００８は、さらに（たとえば性能ベース、容量ベースなどの）チャネルの推定および／または利用に関連するプロトコルおよび／またはアルゴリズムを格納することができる。
【００５７】
本明細書で説明されるデータ記憶装置（たとえば、メモリ１００８）の構成要素は、揮発性メモリまたは不揮発性メモリのいずれかとすることができ、あるいは揮発性および不揮発性両方のメモリを含むことができることを理解されたい。限定ではなく例として、不揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態で使用可能である。主題のシステムおよび方法のメモリ１００８は、これらのおよび他の適切なタイプのメモリを、それらであることに限定されずに含むものである。
【００５８】
モバイルデバイス１０００は、その上さらに、ハイブリッドＦＤＭ−ＣＤＭ信号生成構成要素１０１４と、たとえば基地局、別のモバイルデバイスなどに（たとえばベースＣＱＩ（base CQI）および差分ＣＱＩ（differential CQI））信号を送信する送信機１０１６とを備える。プロセッサ１００６から分離したものとして描かれているが、半結合状態のコントローラ１０１０および／またはハイブリッドＦＤＭ−ＣＤＭ信号生成構成要素１０１４は、プロセッサ１００６またはいくつかのプロセッサ（図示せず）の一部とすることができることを理解されたい。ハイブリッドＦＤＭ−ＣＤＭ信号生成構成要素１０１４は、周波数領域および時間領域において送信すべき信号を多重化するために使用可能である。ハイブリッドＦＤＭ−ＣＤＭ信号生成構成要素１０１４は周波数ダイバーシティを最大化するために信号を多重化し、それにより複数のユーザは不連続トーン上で送信できるようになる。
【００５９】
図１１は、システムの一態様によるハイブリッドＦＤＭ−ＣＤＭ構造を使用している信号の復元を円滑にする例示的なシステム１１００の図である。システム１１００は、複数の受信アンテナ１１０６を介して１つまたは複数のモバイルデバイス１１０４から（１つまたは複数の）信号を受信する受信機１１１０と、複数の送信アンテナ１１０８を介して１つまたは複数のモバイルデバイス１１０４に送信する送信機１１２４とを有する基地局１１０２（たとえば、アクセスポイント、．．．）を備える。受信機１１１０は、受信アンテナ１１０６から情報を受信することができ、受信された情報を復調および逆拡散するハイブリッドＦＤＭ−ＣＤＭ受信構成要素１１１２に動作可能に関連付けられる。このハイブリッドＦＤＭ−ＣＤＭ受信構成要素１１１２は、時間領域および周波数領域において逆拡散フィルタを使用することによって、様々なセルからのユーザグループからの信号を分離することができ、次いで、各グループ内の個々のユーザを分離することができる。この逆拡散フィルタは、（１つまたは複数の）モバイルデバイス１１０４において用いられた拡散符号の反転である符号を使用する。復調されたシンボルは、図１０に関して上述したプロセッサに類似し得るプロセッサ１１１４であって、信号（たとえばパイロット）強度および／または干渉強度、（１つまたは複数の）モバイルデバイス１１０４（または異なる基地局（図示せず））に送信されるべきデータまたはそこから受信されるべきデータを推定することに関する情報、および／または本明細書に記載の様々な動作および機能を行うことに関連する他の適切な情報を格納するメモリ１１１６に結合されたプロセッサ１１１４によって分析される。
【００６０】
送信すべき情報は変調器１１２２に供給できる。変調器１１２２は、送信機１１２６によってアンテナ１１０８を介して（１つまたは複数の）モバイルデバイス１１０４に送信するために、その情報を多重化することができる。一般に、ダウンリンク送信にはＯＦＤＭＡが使用できる。プロセッサ１１１４から分離したものとして描かれているが、半結合状態のコントローラ１１１８および／または変調器１１２２は、プロセッサ１１１４またはいくつかのプロセッサ（図示せず）の一部とすることができることを理解されたい。
【００６１】
図１２は、例示的な無線通信システム１２００を示す。簡潔にするために、無線通信システム１２００は、１つの基地局１２１０および１つのモバイルデバイス１２５０を示している。しかしながら、システム１２００は、２つ以上の基地局および／または２つ以上のモバイルデバイスを含むことができ、追加の基地局および／またはモバイルデバイスは、以下で説明される例示的な基地局１２１０およびモバイルデバイス１２５０と実質的に同様であっても、または異なっていてもよいことを理解されたい。さらに、基地局１２１０および／またはモバイルデバイス１２５０は、それらの間の無線通信を円滑にするために、本明細書で説明されたシステム（図３〜４および１０〜１１）ならびに／または方法（図５〜６）を使用してよいことを理解されたい。
【００６２】
基地局１２１０では、多数のデータストリームのトラフィックデータが、データソース１２１２から送信（ＴＸ）データプロセッサ１２１４に送られる。一例によれば、各々のデータストリームは、それぞれのアンテナを介して送信できる。ＴＸデータプロセッサ１２１４は、そのデータストリームのために選択された特定の符号体系に基づいてトラフィックデータストリームをフォーマットし、符号化し、インタリーブして、符号化データを出力する。
【００６３】
各データストリームの符号化データは、直交周波数分割多重（ＯＦＤＭ）技法を使用してパイロットデータと多重化することができる。追加または代替として、パイロットシンボルは、周波数分割多重（ＦＤＭ）、時分割多重（ＴＤＭ）または符号分割多重（ＣＤＭ）されてよい。パイロットデータは、一般に、知られているやり方で処理される、知られているデータパターンであって、チャネル応答を推定するためにモバイルデバイス１２５０において使用できるデータパターンである。各データストリームについての多重化されたパイロットおよび符号化データは、そのデータストリームに対し選択された特定の変調方式（たとえば、２位相偏移キーイング（ＢＰＳＫ）、４位相偏移キーイング（ＱＰＳＫ）、多値位相偏移キーイング（Ｍ−ＰＳＫ）、多値直交振幅変調（Ｍ−ＱＡＭ）など）に基づいて変調して（たとえばシンボルマッピングして）、変調シンボルを出力することができる。それぞれのデータストリームのデータ速度、符号化、および変調は、プロセッサ１２３０によって実行または提供される命令によって決定することができる。
【００６４】
データストリームの変調シンボルは、ＴＸ  ＭＩＭＯプロセッサ１２２０に送ることができ、そこでさらに変調シンボルを処理することができる（たとえば、ＯＦＤＭ用に）。次いで、ＴＸ  ＭＩＭＯプロセッサ１２２０は、ＮＴ個の変調シンボルストリームをＮＴ個の送信機（ＴＭＴＲ）１２２２ａから１２２２ｔに送る。様々な実施形態において、ＴＸ  ＭＩＭＯプロセッサ１２２０は、データストリームのシンボル、およびシンボルが送信されているアンテナに対してビームフォーミング重みを適用する。
【００６５】
各送信機１２２２は、それぞれのシンボルストリームを受信および処理して、１つまたは複数のアナログ信号を生成し、さらに、それらのアナログ信号を調整（たとえば、増幅、フィルタリング、およびアップコンバート）して、ＭＩＭＯチャネルを介して送信するのに適した変調信号を生成する。さらに、送信機１２２２ａから１２２２ｔまでのＮＴ個の変調信号は、それぞれ１２２４ａから１２２４ｔまでのＮＴ個のアンテナから送信される。
【００６６】
モバイルデバイス１２５０では、送信された変調信号は、ＮＲ個のアンテナ１２５２ａから１２５２ｒによって受信され、各アンテナ１２５２からの受信信号は、それぞれの受信機（ＲＣＶＲ）１２５４ａから１２５４ｒに送られる。各受信機１２５４は、それぞれの信号を調整（たとえば、フィルタリング、増幅、およびダウンコンバート）し、この調整された信号をディジタル化して、サンプルを形成し、さらにそれらのサンプルを処理して、対応する「受信」シンボルストリームを形成する。
【００６７】
ＲＸデータプロセッサ１２６０は、特定の受信機処理技法に基づいてＮＲ個の受信機１２５４からＮＲ個の受信シンボルストリームを受信し、処理して、ＮＴ個の「検出」シンボルストリームを形成することができる。ＲＸデータプロセッサ１２６０は、それぞれの検出シンボルストリームを復調し、ディインタリーブし、復号して、そのデータストリームに対するトラフィックデータを復元することができる。ＲＸデータプロセッサ１２６０による処理は、基地局１２１０におけるＴＸ  ＭＩＭＯプロセッサ１２２０およびＴＸデータプロセッサ１２１４によって実行される処理を補完するものである。
【００６８】
プロセッサ１２７０は、上述のように、どのプリコーディング行列を利用すべきかを周期的に決定することができる。さらに、プロセッサ１２７０は、行列インデックス部および階数値部を備える逆方向リンクメッセージを作成することができる。
【００６９】
逆方向リンクメッセージは、通信リンクおよび／または受信データストリームに関する様々な種類の情報を備えることができる。逆方向リンクメッセージは、（データソース１２３６から複数のデータストリームのトラフィックデータをも受信する）ＴＸデータプロセッサ１２３８によって処理され、変調器１２８０によって変調され、送信機１２５４ａから１２５４ｒによって調整され、基地局１２１０に送り戻されてもよい。
【００７０】
基地局１２１０において、モバイルデバイス１２５０からの変調信号は、アンテナ１２２４によって受信され、受信機１２２２によって調整され、復調器１２４０によって復調され、ＲＸデータプロセッサ１２４２によって処理されて、モバイルデバイス１２５０によって送信された逆方向リンクメッセージを抽出する。さらに、プロセッサ１２３０は、抽出されたメッセージを処理して、ビームフォーミング重みを決定するためにどのプリコーディング行列を使用すべきかを決定することができる。
【００７１】
プロセッサ１２３０および１２７０は、それぞれ基地局１２１０およびモバイルデバイス１２５０上での動作を指示（たとえば、制御、調整、管理など）することができる。それぞれのプロセッサ１２３０および１２７０は、プログラムコードおよびデータを格納するメモリ１２３２および１２７２に結合されてよい。プロセッサ１２３０および１２７０は、それぞれアップリンクおよびダウンリンクについての周波数およびインパルス応答推定値を導出するための計算を行うことも可能である。
【００７２】
本明細書で説明された諸実施形態は、ハードウェア、ソフトウェア、ファームウェア、ミドルウェア、マイクロコード、またはこれらの任意の組合せで実装できることを理解されたい。ハードウェア実装に関しては、処理ユニットは、１つまたは複数の特定用途向け集積回路（ＡＳＩＣ）、ディジタル信号プロセッサ（ＤＳＰ）、ディジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書で説明された機能を実施するように設計された他の電子ユニット、またはこれらの組合せの範囲内で実装することができる。
【００７３】
諸実施形態がソフトウェア、ファームウェア、ミドルウェアまたはマイクロコード、プログラムコードまたはコードセグメントで実装されるときは、これらを記憶構成要素などの機械可読媒体内に格納することができる。コードセグメントはプロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容を引き渡すおよび／または受信することによって、別のコードセグメントまたはハードウェア回路に結合できる。情報、引数、パラメータ、データなどは、メモリ共有、メッセージパッシング、トークンパッシング、ネットワーク送信などを含む適切な手段を使用して引き渡す、転送する、または送信することができる。
【００７４】
ソフトウェア実装に関しては、本明細書で説明された技法は、本明細書で説明された機能を実行するモジュール（たとえば、プロシージャ、関数など）を用いて実装することができる。ソフトウェアコードは、メモリユニット内に格納され、プロセッサによって実行されてよい。メモリユニットは、プロセッサの内部に、またはプロセッサの外部に実装することができ、その場合、当技術分野で知られている様々な手段を介してプロセッサに通信可能に結合することができる。
【００７５】
図１３を参照すると、シングルキャリアベースの制御チャネルの送信を円滑にするためにハイブリッドＦＤＭ−ＣＤＭ構造を使用するシステム１３００が示されている。たとえば、システム１３００は、少なくとも部分的にモバイルデバイス内にあってもよい。システム１３００は機能ブロックを含むように表されており、この機能ブロックはプロセッサ、ソフトウェア、またはそれらの組合せ（たとえば、ファームウェア）によって実装される機能を表す機能ブロックとすることができることを理解されたい。システム１３００は、逆方向リンク送信を円滑にする電気的構成要素の論理グルーピング１３０２を含む。たとえば、論理グルーピング１３０２は、ハイブリッドＦＤＭ−ＣＤＭ構造を使用することによって信号を変調するための電気的構成要素を含むことができる。このハイブリッドＦＤＭ−ＣＤＭ構造は、ユーザが不連続トーンにわたって送信可能にすることによって、所与のユーザに最大の周波数ダイバーシティを提供する。さらに、論理グルーピング１３０２は、時間領域においてＣＤＭを行うための電気的構成要素を備えることができる。時間領域におけるＣＤＭでは、隣接セル内のユーザが周波数領域におけるＣＤＭについて同じ系列を使用できるようにすることが可能である。したがって、周波数領域におけるＣＤＭについて同じ系列を使用している隣接セル内のユーザのパイロットは、時間領域において行われるＣＤＭのおかげで干渉することがない。さらに、システム１３００は、電気的構成要素１３０４および１３０６に関連する機能を実行するための命令を保持するメモリ１３０８を含むことができる。１つまたは複数の電気的構成要素１３０４および１３０６は、メモリ１３０８の外部にあるように示されているが、メモリ１３０８の内部にあってもよいことを理解されたい。
【００７６】
図１４を参照すると、本明細書の一態様による、特定のセル内の特定のユーザからの信号を識別するシステム１４００が示されている。システム１４００は、たとえば基地局内にあってよい。図示のように、システム１４００はプロセッサ、ソフトウェア、またはそれらの組合せ（たとえば、ファームウェア）によって実装される機能を表すことができる機能ブロックを含む。システム１４００は、一緒に動作可能である電気的構成要素の論理グルーピング１４０２を含む。論理グルーピング１４０２は、受信信号を復調するための電気的構成要素１４０４を含むことができる。たとえば、ハイブリッドＦＤＭ−ＣＤＭ構造を使用することによって信号を送信するモバイルデバイスからメッセージを受信するための受信機は、基地局内に含まれてもよい。構成要素１４０４は、特定のグループ内のユーザからの信号を識別するために、信号を復調することができる。さらに、論理グルーピング１４０２は、時間領域において信号逆拡散を行うための電気的構成要素１４０６を含むことができる。その上、論理グルーピング１４０２は、周波数領域において信号逆拡散を行うための電気的構成要素１４０８を備えることができる。時間領域および周波数領域における逆拡散操作は、識別されたグループ内の特定のユーザからの信号を識別することができる。さらに、システム１４００は、電気的構成要素１４０４、１４０６および１４０８に関連する機能を実行するための命令を保持するメモリ１４１０を含むことができる。電気的構成要素１４０４、１４０６および１４０８は、メモリ１４１０の外部にあるのが示されているが、メモリ１４１０の内部にあってもよいことを理解されたい。
【００７７】
以上の説明は１つまたは複数の態様の例を含む。言うまでもなく、上述の態様を説明する目的で構成要素または方法のあらゆる想到できる組合せを説明することは不可能であるが、当業者は様々な態様の多くのさらなる組合せおよび置換えが可能であることを理解されよう。したがって、説明された態様は、添付の特許請求の範囲の範囲内にあるすべてのそのような改変形態、修正形態および変更形態を包含することものである。さらに、用語「含む（ｉｎｃｌｕｄｅ）」が、発明を実施するための形態または特許請求の範囲のいずれかで使用される範囲では、そのような用語は、用語「備える（ｃｏｍｐｒｉｓｉｎｇ）」が特許請求の範囲中で移行語として使用されるときに解釈される「備える（ｃｏｍｐｒｉｓｉｎｇ）」と同じように包含的なものである。
【図１】
2018191309.tif 000003
【図２】
2018191309.tif 000004
【図３】
2018191309.tif 000005
【図４】
2018191309.tif 000006
【図５】
2018191309.tif 000007
【図６】
2018191309.tif 000008
【図７Ａ】
2018191309.tif 000009
【図７Ｂ】
2018191309.tif 000010
【図８】
2018191309.tif 000011
【図９】
2018191309.tif 000012
【図１０】
2018191309.tif 000013
【図１１】
2018191309.tif 000014
【図１２】
2018191309.tif 000015
【図１３】
2018191309.tif 000016
【図１４】
2018191309.tif 000017
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
無線通信のための装置において、
周波数に対してユーザの第１のグループ内の第１のユーザからの信号を拡散する手段と、ここにおいて、前記ユーザの第１のグループ内の異なるユーザからの信号は周波数領域において符号分割多重（ＣＤＭ）される、
時間に対して前記第１のユーザからの信号を拡散する手段と、ここにおいて、前記ユーザの第１のグループ内の前記異なるユーザからの信号は時間領域において符号分割多重され、異なるセル中の異なるユーザは、同じ帯域幅を占有し、前記信号を送信するのに同じ系列のセットを使用し、前記異なるセルにわたる時間領域において異なる直交符号を使用する、
前記第１のユーザからの信号を前記ユーザの第１のグループに割り当てられ、かつ、ユーザへの割り当てに利用可能な複数のサブキャリアのサブセットに対応するサブキャリアの第１のセットにマッピングする手段と、ここにおいて、前記ユーザの第１のグループ内のすべてのユーザからの信号は、前記サブキャリアの第１のセット上に送信され、前記ユーザの第１のグループ内の各ユーザは、前記ユーザの第１のグループに割り当てられた帯域幅全体を占有し、ユーザの異なるグループからの信号は周波数分割多重（ＦＤＭ）され、ユーザへの割り当てに利用可能な前記複数のサブキャリアの異なるオーバラッピングしないサブセットに対応するサブキャリアの異なるセット上に送信される、
を具備する装置。
【手続補正２】
【補正対象書類名】明細書
【補正対象項目名】００７７
【補正方法】変更
【補正の内容】
【００７７】
以上の説明は１つまたは複数の態様の例を含む。言うまでもなく、上述の態様を説明する目的で構成要素または方法のあらゆる想到できる組合せを説明することは不可能であるが、当業者は様々な態様の多くのさらなる組合せおよび置換えが可能であることを理解されよう。したがって、説明された態様は、添付の特許請求の範囲の範囲内にあるすべてのそのような改変形態、修正形態および変更形態を包含することものである。さらに、用語「含む（ｉｎｃｌｕｄｅ）」が、発明を実施するための形態または特許請求の範囲のいずれかで使用される範囲では、そのような用語は、用語「備える（ｃｏｍｐｒｉｓｉｎｇ）」が特許請求の範囲中で移行語として使用されるときに解釈される「備える（ｃｏｍｐｒｉｓｉｎｇ）」と同じように包含的なものである。
以下に本願の出願当初の特許請求の範囲に記載された発明を付記する。
［Ｃ１］
ユーザの観点からの周波数ダイバーシティを最大化するための無線通信システムにおいて動作可能な装置であって、
異なるグループ内のユーザからの信号に対して周波数分割多重（ＦＤＭ）を行うための手段と、
同じグループ内のユーザからの信号に対して周波数領域における符号分割多重（ＣＤＭ）を行うための手段と、
前記同じグループ内のユーザからの信号に対して時間領域における符号分割多重（ＣＤＭ）を行うための手段と
を備える装置。
［Ｃ２］
所与のグループ内のユーザが、所与のシンボル内のトーンの連続セットおよび異なるシンボル内の連続トーンの異なるセットにわたって送信できるように前記多重化された信号を送信するための手段をさらに備えるＣ１に記載の装置。
［Ｃ３］
前記周波数領域におけるＣＤＭを実現するために拡散系列の巡回シフトを使用するための手段をさらに備えるＣ１に記載の装置。
［Ｃ４］
前記拡散系列がＺａｄｏｆｆ−Ｃｈｕ系列である、Ｃ３に記載の装置。
［Ｃ５］
前記時間領域におけるＣＤＭを実現するために直交拡散符号を使用するための手段をさらに備えるＣ１に記載の装置。
［Ｃ６］
前記拡散符号がアダマール系列である、Ｃ５に記載の装置。
［Ｃ７］
ユーザの観点からの周波数ダイバーシティを最大化するための無線通信システムにおいて動作可能な装置であって、
ハイブリッドＦＤＭ−ＣＤＭ方式を使用することによって多重化された所与のセル内の前記ユーザからの制御信号を送信するハイブリッドＦＤＭ−ＣＤＭ（周波数分割多重−符号分割多重）生成構成要素
を備える装置。
［Ｃ８］
送信すべき前記制御信号に対してＦＤ−ＣＤＭ（周波数領域−符号分割多重）を行うハイブリッドＦＤＭ−ＣＤＭ変調器をさらに備えるＣ７に記載の装置。
［Ｃ９］
前記ハイブリッドＦＤＭ−ＣＤＭ変調器が、ＦＤ−ＣＤＭを実現するために拡散系列の巡回シフトを使用する、Ｃ８に記載の装置。
［Ｃ１０］
拡散系列がＺａｄｏｆｆ−Ｃｈｕ系列である、Ｃ９に記載の装置。
［Ｃ１１］
送信すべき前記信号に対してＴＤ−ＣＤＭ（時間領域−符号分割多重）を行う基準信号（ＲＳ）マルチプレクサをさらに備えるＣ７に記載の装置。
［Ｃ１２］
前記ＲＳマルチプレクサが、ＴＤ−ＣＤＭを実現するために時間領域における直交拡散符号を使用する、Ｃ１１に記載の装置。
［Ｃ１３］
拡散符号がアダマール符号である、Ｃ１２に記載の装置。
［Ｃ１４］
前記制御信号を送信する送信機をさらに備えるＣ７に記載の装置。
［Ｃ１５］
前記ハイブリッドＦＤＭ−ＣＤＭ変調器が、周波数ダイバーシティを増大させるために周波数ホッピング方式を使用する、Ｃ７に記載の装置。
［Ｃ１６］
前記制御信号がシングルキャリア波形を有する、Ｃ７に記載の装置。
［Ｃ１７］
前記使用可能な帯域幅においてシングルキャリア制御信号を送信するための所与のユーザについての周波数ダイバーシティを最大化する方法であって、
異なるグループ内のユーザからの信号を周波数分割多重（ＦＤＭ）することと、
同じグループ内のユーザからの信号を周波数領域において符号分割多重（ＣＤＭ）することと、
前記同じグループ内のユーザからの信号を時間領域において符号分割多重（ＣＤＭ）することと
を備える方法。
［Ｃ１８］
所与のグループ内のユーザが、所与のシンボル内のトーンの連続セットおよび異なるシンボル内の連続トーンの異なるセットにわたって送信できるように前記多重化された信号を送信することをさらに備えるＣ１７に記載の方法。
［Ｃ１９］
前記周波数領域におけるＣＤＭを実現するために拡散系列の巡回シフトを使用することをさらに備えるＣ１７に記載の方法。
［Ｃ２０］
前記拡散系列がＺａｄｏｆｆ−Ｃｈｕ系列である、Ｃ１９に記載の方法。
［Ｃ２１］
前記時間領域におけるＣＤＭを実現するために直交拡散符号を使用することをさらに備えるＣ１７に記載の方法。
［Ｃ２２］
前記拡散符号がアダマール系列である、Ｃ２１に記載の方法。
［Ｃ２３］
周波数ダイバーシティを増大させるために周波数ホッピング方式を使用することをさらに備えるＣ１７に記載の方法。
［Ｃ２４］
ユーザの観点からの周波数ダイバーシティを最大化するための無線通信システムにおいて動作可能な装置であって、
前記所与のセル内の前記ユーザからの受信信号を識別するハイブリッドＦＤＭ−ＣＤＭ受信構成要素であって、前記受信信号がハイブリッドＦＤＭ−ＣＤＭ方式を使用する、構成要素
を備える装置。
［Ｃ２５］
前記受信信号を復調する構成要素をさらに備えるＣ２４に記載の装置。
［Ｃ２６］
高速フーリエ変換（ＦＦＴ）を使用することによってユーザの少なくとも１セットを分離する構成要素をさらに備えるＣ２４に記載の装置。
［Ｃ２７］
前記受信信号を検出するために反転ホッピング系列を使用する構成要素をさらに備えるＣ２４に記載の装置。
［Ｃ２８］
特定のグループ内の特定のユーザによって送信された信号を分離するために時間領域および周波数領域において逆拡散操作を行う構成要素をさらに備えるＣ２４に記載の装置。
［Ｃ２９］
前記受信信号を識別するために、送信中に前記ユーザによって用いられた前記拡散符号の反転である逆拡散符号を使用する逆拡散フィルタをさらに備えるＣ２８に記載の装置。
［Ｃ３０］
入力信号を受信するための１つまたは複数のアンテナをさらに備えるＣ２８に記載の装置。
［Ｃ３１］
シングルキャリア制御信号の取得を円滑にする方法であって、
ハイブリッドＦＤＭ−ＣＤＭ（周波数分割多重−符号分割多重）構造をサポートする入力信号を受信することと、
前記受信信号を復調することと、
時間領域において前記受信信号を逆拡散することと、
周波数領域において前記受信信号を逆拡散することと
を備える方法。
［Ｃ３２］
前記受信信号に反転ホッピング系列を適用することをさらに備えるＣ３１に記載の方法。
［Ｃ３３］
セル内の１つまたは複数のユーザからの信号を分離するために高速フーリエ変換（ＦＦＴ）を適用することをさらに備えるＣ３１に記載の方法。
［Ｃ３４］
ユーザによって送信された制御信号の復元を円滑にする無線通信装置であって、
ハイブリッドＦＤＭ−ＣＤＭ（周波数分割多重−符号分割多重）構造をサポートする入力信号を受信するための手段と、
前記受信信号を復調するための手段と、
時間領域および周波数領域において前記受信信号を逆拡散するための手段と
を備える装置。
［Ｃ３５］
前記制御信号がシングルキャリア波形である、Ｃ３４に記載の無線通信装置。
［Ｃ３６］
前記受信信号に反転ホッピング系列を適用するための手段をさらに備えるＣ３４に記載の無線通信装置。
［Ｃ３７］
ハイブリッドＦＤＭ−ＣＤＭ（周波数分割多重−符号分割多重）構造を使用するシングルキャリア制御信号を受信するための方法であって、
部分的に受信信号の復調に基づいて少なくとも１つのセル内のユーザからの信号のセットを識別することと、
部分的に時間領域および周波数領域において前記信号のセットに対して行われる逆拡散操作に基づいて前記少なくとも１つのセル内の特定のユーザに関連する少なくとも１つの信号を識別することと
を備える方法。
［Ｃ３８］
前記信号のセットを分離するために高速フーリエ変換（ＦＦＴ）を適用することをさらに備えるＣ３７に記載の方法。
［Ｃ３９］
前記逆拡散操作を行うためにフィルタリング技法を使用することをさらに備えるＣ３７に記載の方法。
［Ｃ４０］
ハイブリッドＦＤＭ−ＣＤＭ（周波数分割多重−符号分割多重）構造を使用しているシングルキャリア制御チャネルを送信することに関連する命令を保持するメモリと、
前記メモリに結合され前記メモリ内に保持された前記命令を実行するように構成されたプロセッサと
を備える無線通信装置。
［Ｃ４１］
ユーザの観点からの周波数ダイバーシティを最大化する無線通信システムにおいて、  互いに周波数分割多重（ＦＤＭ）された１つまたは複数のグループに制御チャネルを分割し、
時間領域および周波数領域において前記１つまたは複数のグループの各々の中のユーザからの制御チャネル信号に対して符号分割多重（ＣＤＭ）を行う
ように構成されたプロセッサ
を備える装置。
［Ｃ４２］
周波数領域における前記符号分割多重が、拡散系列の巡回シフトを使用することによって実行される、Ｃ４１に記載の無線通信システム。
［Ｃ４３］
前記拡散系列がＺａｄｏｆｆ−Ｃｈｕ系列である、Ｃ４２に記載の無線通信システム。
［Ｃ４４］
時間領域における前記符号分割多重が、直交拡散符号を使用することによって実行される、Ｃ４１に記載の無線通信システム。
［Ｃ４５］
前記拡散符号がアダマール系列である、Ｃ４４に記載の無線通信システム。
［Ｃ４６］
ハイブリッドＦＤＭ−ＣＤＭ（周波数分割多重−符号分割多重）構造を使用しているシングルキャリア制御チャネルを受信することに関連する命令を保持するメモリと、
前記メモリに結合され前記メモリ内に保持された前記命令を実行するように構成されたプロセッサと
を備える無線通信装置。
【外国語明細書】
2018191309000001.pdf